(57)【特許請求の範囲】
【請求項１】
第１国から第２国に進入する車両に搭載されたラジオ受信機であって、
放送信号を受信する放送信号受信手段と、
前記放送信号受信手段によって受信可能な放送信号を示す放送局リストを作成する放送局リスト作成手段と、
受信周波数帯域に含まれる各周波数の放送信号の受信状態を検出する１回目の検出動作を行う第１の受信状態検出手段と、
前記第１の受信状態検出手段による検出動作の結果に基づいて、車両が前記第１国から前記第２国に進入したか否かを判定する進入判定手段と、
前記進入判定手段によって前記第２国に進入した旨の判定がなされたときに、前記放送局リストに含まれる前記第１国の放送局の放送信号の受信状態を検出する２回目の検出動作を行う第２の受信状態検出手段と、
前記第１および第２の受信状態検出手段による検出動作の結果に基づいて、前記第１国の放送局の放送信号について受信状態が悪いことが複数回確認された場合にこの前記第１国の放送局を前記放送局リストから削除する放送局リスト更新手段と、
を備えることを特徴とするラジオ受信機。
【請求項２】
請求項１において、
前記進入判定手段は、受信状態が良好な前記第２国の放送局数が所定のしきい値に達したときに前記第２国に進入した旨の判定を行うことを特徴とするラジオ受信機。
【請求項３】
請求項１または２において、
前記放送局リスト更新手段は、前記第１の受信状態検出手段による検出動作の結果に基づいて、受信可能であることが確認された放送信号の放送局を前記放送局リストに追加することを特徴とするラジオ受信機。
【請求項４】
請求項１〜３のいずれかにおいて、
前記第２の受信状態検出手段は、前記放送局リストに含まれる前記第１国の放送局のみについて放送信号の受信状態を検出することを特徴とするラジオ受信機。
【請求項５】
請求項１〜３のいずれかにおいて、
前記第２の受信状態検出手段は、前記第１国の放送局の放送信号を含む受信周波数帯域内の各周波数の放送信号の受信状態を検出することを特徴とするラジオ受信機。
【請求項６】
請求項１〜５のいずれかにおいて、
利用者による指示を受け付ける操作手段をさらに備え、
前記第１の受信状態検出手段による検出動作は、前記操作手段によって受け付けられた利用者による指示に応じた所定の動作を実行する際に行われることを特徴とするラジオ受信機。
【請求項７】
請求項６において、
前記放送信号に対応する音声を出力する音声出力手段と、前記音声出力手段の出力音声を無音状態に維持する無音処理手段とをさらに備え、
前記所定の動作は、前記無音処理手段によって出力音声を無音状態に維持する動作を伴うことを特徴とするラジオ受信機。
【請求項８】
請求項７において、
前記所定の動作は、前記放送信号受信手段における受信周波数を一方向に掃引する動作を受信状態が良好な放送信号を検出するまで行うシーク動作であることを特徴とするラジオ受信機。
【請求項９】
請求項７において、
前記所定の動作は、前記放送信号受信手段における受信周波数を一方向に掃引して受信帯域内の受信状態が良好な放送信号を検出するスキャン動作であることを特徴とするラジオ受信機。
【請求項１０】
請求項６において、
前記所定の動作は、音声出力ソースをラジオ受信機以外に切り替える動作であることを特徴とするラジオ受信機。
【請求項１１】
請求項２において、
前記進入判定手段は、前記第２国に複数の国が含まれている場合に、これら複数の国のいずれかについて放送局数が前記所定のしきい値に達したときに前記第２国に進入した旨の判定を行うことを特徴とするラジオ受信機。
【請求項１２】
請求項２において、
前記第１の受信状態検出手段、前記進入判定手段、前記第２の受信状態検出手段、前記放送局リスト更新手段による動作は、前記所定のしきい値として大きさが異なる複数の値のそれぞれに対応して複数回行われることを特徴とするラジオ受信機。
【請求項１３】
請求項１〜１２のいずれかにおいて、
前記放送信号受信手段は、同時に１つの放送信号を受信可能な１チューナ構成を有することを特徴とするラジオ受信機。
【発明の詳細な説明】
【技術分野】
【０００１】
本発明は、ＲＤＳ（Radio Data System）等のラジオ受信機に関する。
【背景技術】
【０００２】
従来から、受信可能な放送局を定期的（例えば５分毎）に検出してそのリスト（ステーションリスト）を作成するＲＤＳ受信機が知られている（例えば、特許文献１参照。）。また、メインチューナとは別にサブチューナを備え、サブチューナを用いてステーションリストの作成を行うＲＤＳ受信機が知られている（例えば、特許文献２参照。）。
【先行技術文献】
【特許文献】
【０００３】
【特許文献１】特開２０１０−２６８３３３号公報
【特許文献１】特開２００５−１５９８６８号公報
【発明の概要】
【発明が解決しようとする課題】
【０００４】
ステーションリストを更新する処理は、受信帯域の各周波数毎に放送信号の有無を調べるとともに放送信号が存在する場合にはその受信状態を検出することにより行われ、検出結果に基づいてステーションリストに含まれる放送局の追加や削除が行われる。
【０００５】
ところで、車両に搭載されたＲＤＳ受信機を考えた場合に、高い建物の近くを走行中の場合などにおいて一時的に電波状態が悪化する場合があり、このタイミングでステーションリストを更新すると、本来良好に受信可能な放送局を削除してしまうことになるため、放送局の削除は受信状態が悪いことを複数回確認した後に行うことが望ましい。ところが、このようにしてステーションリストから放送局を削除しようとすると、特許文献１に開示されたＲＤＳ受信機では受信可能な放送局を検出する周期の複数倍の時間を要することになり、ステーションリストから受信状態の悪い放送局を削除するまで時間がかかるとともに、削除するまでステーションリストに受信状態の悪い放送局が残ってしまい、利用者がこの放送局を選択した場合に聴きづらかったり他の放送局への切替が必要になって操作が煩雑になるという問題上がった。
【０００６】
特に、ヨーロッパ等において国境を跨いで他の国に進入した場合には、既に別の国を走行中であるにもかかわらず、前の国の放送局がステーションリストにしばらくの間残ることになる。しかも、１チューナ構成の受信機では、出力音声の品質を維持するためには、放送局を検出する周期をあまり短くすることができないため、上記の問題が顕著となる。一方、特許文献２に開示された受信機では、サブチューナを用いてステーションリストを作成しているため、ステーションリストの更新周期を短くすることができるが、安価で簡易な構成で実現しようとした場合には複数のチューナを備える構成は採用できないため、簡易な構成で、他の国に進入した場合にステーションリストに受信状態が悪い前の国の放送局が残らないようにすることができる手法が望まれている。
【０００７】
本発明は、このような点に鑑みて創作されたものであり、その目的は、簡易な構成で、ある国から別の国に進入した際に放送局リスト（ステーションリスト）から受信状態が悪い進入前の国の放送局を速やかに削除することができるラジオ受信機を提供することにある。
【課題を解決するための手段】
【０００８】
上述した課題を解決するために、本発明のラジオ受信機は、第１国から第２国に進入する車両に搭載されたラジオ受信機であって、放送信号を受信する放送信号受信手段と、放送信号受信手段によって受信可能な放送信号を示す放送局リストを作成する放送局リスト作成手段と、受信周波数帯域に含まれる各周波数の放送信号の受信状態を検出する１回目の検出動作を行う第１の受信状態検出手段と、第１の受信状態検出手段による検出動作の結果に基づいて、車両が第１国から第２国に進入したか否かを判定する進入判定手段と、進入判定手段によって第２国に進入した旨の判定がなされたときに、放送局リストに含まれる第１国の放送局の放送信号の受信状態を検出する２回目の検出動作を行う第２の受信状態検出手段と、第１および第２の受信状態検出手段による検出動作の結果に基づいて放送局リストの内容を更新する放送局リスト更新手段とを備えている。特に、放送信号受信手段は、同時に１つの放送信号を受信可能な１チューナ構成を有することが望ましい。
【０００９】
第１国から第２国に進入したときに、進入前の第１国の放送局の放送信号について速やかに受信状態を２回確認することができるため、放送局リストから受信状態が悪い進入前の国の放送局を速やかに削除することができる。特に、受信周波数帯域に含まれる各周波数の放送信号の受信状態を検出する動作の繰り返し周期を短くする必要がないため、頻繁な、あるいは長時間の音声出力の中断が不要であり、簡易な構成、具体的には、同時に１つの放送信号を受信可能な１チューナ構成とすることが可能となる。
【００１０】
また、上述した進入判定手段は、受信状態が良好な第２国の放送局数が所定のしきい値に達したときに第２国に進入した旨の判定を行うことが望ましい。第２国へ進入した際に増加する第２国の放送局数を調べることより、第２国に進入したことを容易かつ確実に判定することが可能となる。
【００１１】
また、上述した放送局リスト更新手段は、第１および第２の受信状態検出手段による検出動作の結果に基づいて、第１国の放送局の放送信号について受信状態が悪いことが複数回確認された場合にこの前記第１国の放送局を放送局リストから削除する。これにより、第２国に進入したことにより受信状態が悪化した第１国の放送局を、正確かつ速やかに放送局リストから削除することができる。
【００１２】
また、上述した放送局リスト更新手段は、第１の受信状態検出手段による検出動作の結果に基づいて、受信可能であることが確認された放送信号の放送局を放送局リストに追加することが望ましい。これにより、受信状態が良好な放送局を速やかに放送局リストに追加することができる。
【００１３】
また、上述した第２の受信状態検出手段は、放送局リストに含まれる第１国の放送局のみについて放送信号の受信状態を検出することが望ましい。これにより、２回目の受信状態検出を短い時間で行うことができ、音声出力を中断する時間を最小限に抑えることができる。
【００１４】
また、上述した第２の受信状態検出手段は、第１国の放送局の放送信号を含む受信周波数帯域内の各周波数の放送信号の受信状態を検出することが望ましい。これにより、第１国の放送局のみを対象にする場合に比べて時間はかかるが、放送局リストにおける放送局の削除や追加を正確に行うことが可能となる。
【００１５】
また、利用者による指示を受け付ける操作手段をさらに備え、第１の受信状態検出手段による検出動作は、操作手段によって受け付けられた利用者による指示に応じた所定の動作を実行する際に行われることが望ましい。特に、上述した放送信号に対応する音声を出力する音声出力手段と、音声出力手段の出力音声を無音状態に維持する無音処理手段とをさらに備え、所定の動作は、無音処理手段によって出力音声を無音状態に維持する動作を伴うことが望ましい。また、上述した所定の動作は、放送信号受信手段における受信周波数を一方向に掃引する動作を受信状態が良好な放送信号を検出するまで行うシーク動作であることが望ましい。あるいは、上述した所定の動作は、放送信号受信手段における受信周波数を一方向に掃引して受信帯域内の受信状態が良好な放送信号を検出するスキャン動作であることが望ましい。また、上述した所定の動作は、音声出力ソースをラジオ受信機以外に切り替える動作であることが望ましい。これにより、番組音声の出力動作に影響を与えることなく、あるいは、与える影響を最小限に抑えることができ、利用者に違和感や不快感を与えることを防止することができる。
【００１６】
また、上述した進入判定手段は、第２国に複数の国が含まれている場合に、これら複数の国のいずれかについて放送局数が所定のしきい値に達したときに第２国に進入した旨の判定を行うことが望ましい。これにより、複数の国が複雑に入り組んでいるような場所においても、第１国から遠ざかって他の国に進入したことを確実に判定することができる。
【００１７】
また、上述した第１の受信状態検出手段、進入判定手段、第２の受信状態検出手段、放送局リスト更新手段による動作は、所定のしきい値として大きさが異なる複数の値のそれぞれに対応して複数回行われることが望ましい。これにより、放送局リストに受信状態が悪い進入前の国の放送局が残ってしまうことを確実に防止することができる。
【図面の簡単な説明】
【００１８】
【図１】一実施形態のラジオ受信機の構成を示す図である。
【図２】ＲＤＳデータの基本的ベースバンドコーディング構造の説明図である。
【図３】車両が第１国から第２国に進入した後に放送局リストの内容を更新する動作手順を示す流れ図である。
【図４】放送局リスト更新動作の具体例を示す図である。
【図５】放送局リスト内の第２国の放送局の数が２つのしきい値Ｎ１、Ｎ２のそれぞれに達したときに受信状態検出、判定を行うようにした変形例の動作手順を示す流れ図である。
【図６】放送局リスト更新動作の変形例を示す図である。
【図７】放送局リスト更新動作の他の変形例を示す流れ図である。
【発明を実施するための形態】
【００１９】
以下、本発明を適用した一実施形態のラジオ受信機について、図面を参照しながら説明する。図１は、一実施形態のラジオ受信機の構成を示す図である。図１に示すラジオ受信機は、車両に搭載されてＲＤＳ放送を受信するためのものであり、アンテナ１０、フロントエンド（Ｆ／Ｅ）１２、中間周波増幅器（ＩＦＡ）１４、受信状態検出部１６、復調部２０、増幅器２２、スピーカ２４、ＲＳデコーダ３０、制御部４０、放送局リスト格納部５０、表示部６０、操作部６２を含んで構成されている。このラジオ受信機は、１つの放送信号を受信するシングルチューナ構成を有している。
【００２０】
ＲＤＳ放送は、１９ｋＨｚのステレオパイロット信号の３次高調波である５７ｋＨｚを副搬送波とし、フィルタリングおよび２相コード化された番組関連情報や交通情報関連等のデータを示すデータ信号により、副搬送波を振幅変調してラジオデータ（ＲＤＳデータ）とし、この振幅変調された副搬送波を主搬送波に周波数変調して放送している。
【００２１】
図２は、ＲＤＳデータの基本的ベースバンドコーディング構造の説明図である。図２に示すように、ＲＤＳデータは、１０４ビットを１グループとするグループ単位で構成され、各グループはそれぞれ４ブロック（Ａ、Ｂ、Ｃ、Ｄ）からなり、１ブロックは１６ビットの情報語（ｍ０〜ｍ１５）と１０ビットの検査語およびオフセット語（Ｃ’０〜Ｃ’９）とから構成されている。
【００２２】
ブロックＡには、国名データや番組データからなるネットワークを示す番組識別データ（ＰＩコード：Program Identification Code）が配置される。このＰＩコードは、4ビットの国名データと、４ビットの地域データと、８ビットの番組データとの３つの要素から構成されている。ブロックＢには、交通情報番組を放送する交通情報放送局であることを示す交通情報放送局識別データ（ＴＰコード：Traffic program Identification code）や番組の種類を示す番組内容識別データ（ＰＴＹコード：Program Type code）が配置される。ブロックＣには、同一番組を放送しているネットワーク局群の各局の周波数に関するデータ、すなわち代替周波数データ（ＡＦデータ：Alternative Frequency code）が配置される。ブロックＤには、放送局名やネットワーク名等の放送局名データ（ＰＳデータ：Program Service code）が配置される。
【００２３】
フロントエンド１２は、アンテナ１０を介して受信した放送信号の中から所望の放送信号を抽出するとともに周波数変換を行ってこの放送波に対応するＩＦ信号（中間周波信号）を生成する。なお、本実施形態のラジオ受信機は１チューナ構成を有しており、フロントエンド１２は１つの放送信号のみを受信する。中間周波増幅器１４は、フロントエンド１２から出力されたＩＦ信号を増幅する。受信状態検出部１６は、中間周波増幅器１４から出力されるＩＦ信号に基づいて放送信号の受信状態を検出する。例えば、ＩＦ信号の信号強度、マルチパス発生の有無、隣接妨害発生の有無が受信状態として検出される。
【００２４】
復調部２０は、中間周波増幅器１４から入力されるＩＦ信号に基づいてＦＭ復調処理およびステレオ復調処理を行う。ＦＭ復調された後のデータには、ＰＩコードや番組内容識別データ（ＴＹＰ）などを含むＲＤＳデータが重畳されている。復調部２０によってステレオ復調されたオーディオ信号は、増幅器２２によって増幅されてスピーカ２４からオーディ音が出力される。
【００２５】
ＲＤＳデコーダ３０は、復調部２０によってＦＭ復調されたデータに対して所定のデコード処理を行ってＲＤＳデータを復元する。また、ＲＤＳデコーダ３０には、ＲＤＳデータの誤りをブロック同期を取りながら検出し、その誤りを訂正する動作を行う。なお、通常は、ＲＤＳデータの誤り検出および訂正動作はＲＤＳデータのデコード処理とは別であって、別の誤り検出・訂正部が備わっている。
【００２６】
制御部４０は、ラジオ受信機全体を制御する。この制御部４０は、ＣＰＵおよびＲＡＭ、ＲＯＭ等によって構成されており、所定のプログラムを実行することにより各種の動作を行う。例えば、番組を選択して受信する選局動作や、周波数を一方向に掃引して受信可能な放送信号を探すシーク動作やスキャン動作、受信可能な放送信号を示す放送局リスト（ステーションリスト）を作成・更新する動作などが制御部４０の制御によって行われる。このために、制御部４０は、選局処理部４１、放送局リスト作成部４２、受信状態判定部４３、４５、進入判定部４４、シーク処理部４６、スキャン処理部４７、ミュート処理部４８、放送局リスト更新部４９を備えている。
【００２７】
選局処理部４１は、操作部６２を用いて利用者によって選局指示（受信番組の切替指示）がなされたときに、切替後の受信番組に対応する受信周波数の設定をフロントエンド１２に対して行う。例えば、この選局指示は、放送局リストに登録された複数の放送局を表示させてその中から切替を希望する放送局を選択することにより行われる。
【００２８】
放送局リスト作成部４２は、受信可能な放送信号を示す放送局リストを作成する。この放送局リストには、各放送局の放送信号に対応するＰＩコード、受信周波数、受信状態などが含まれている。作成された放送局リストは、半導体メモリやハードディスク装置などで構成される放送局リスト格納部５０に格納される。
【００２９】
受信状態判定部４３は、受信周波数帯域に含まれる各周波数の放送信号の受信状態を判定する。この判定は、受信状態検出部１６によって検出されたＩＦ信号の信号強度、マルチパス発生の有無、隣接妨害発生の有無に応じて行われる。また、ラジオ受信機を車両に搭載して電源（バッテリ）に接続した直後に受信状態判定部４３による最初の判定動作が行われると、この判定結果に基づいて放送局リストが作成される。
【００３０】
進入判定部４４は、受信状態判定部４３による判定結果に基づいて、ラジオ受信機が搭載された車両が第１国から第２国に進入したか否かを判定する。具体的には、進入判定部４４は、受信状態が良好な第２国の放送局数が所定のしきい値（例えば５個）に達したときに第２国に進入した旨の判定を行う。なお、本実施形態では、ある国を走行中の車両が国境を越えて他の国に進入した場合を想定しており、国境を越える前の国を「第１国」、国境を越えた後の他の国を「第２国」としている。
【００３１】
受信状態判定部４５は、進入判定部４４によって第２国に進入した旨の判定がなされたときに、放送局リストに含まれる第１国の放送局の放送信号の受信状態を判定する。上述した受信状態判定部４３と同様に、この判定も、受信状態検出部１６によって検出されたＩＦ信号の信号強度、マルチパス発生の有無、隣接妨害発生の有無に応じて行われる。
【００３２】
シーク処理部４６は、操作部６２を用いて利用者によってシーク指示がなされたときにフロントエンド１２の受信周波数を一方向に掃引し、受信状態検出部１６の検出結果に基づいて受信状態が良好な放送信号を検出したときにこの受信周波数の掃引を停止する。
【００３３】
スキャン処理部４７は、操作部６２を用いて利用者によってスキャン指示がなされたときにフロントエンド１２の受信周波数を一方向に掃引し、受信状態検出部１６の検出結果に基づいて受信状態が良好な放送信号を検出するとこのときの受信周波数を所定時間維持する設定をフロントエンド１２に対して行う。これにより、所定時間この放送信号の番組に対応するオーディオ信号がスピーカ２４から出力される。所定時間経過後、周波数掃引が再開される。この周波数掃引動作と所定時間の放送信号受信動作は、掃引周波数が一巡（例えば、掃引周波数が受信帯域の上限値（あるいは下限値）に達した場合には、周波数が下限値（あるいは上限値）に切り替えられて周波数掃引が継続される）するまで、あるいは、途中の放送信号受信動作中に操作部６２が操作されてその放送信号の番組受信が利用者によって指示されるまで行われる。
【００３４】
ミュート処理部４８は、シーク処理部４６によるシーク動作やスキャン処理部４７によるスキャン動作と並行して、復調部２０に指示を送ってスピーカ２４から出力されるオーディオ音（出力音声）を無音状態にするミュート処理を行う。
【００３５】
放送局リスト更新部４９は、受信状態検出部１６によって放送信号の受信状態が検出されたときに、必要に応じて放送局リストの内容を更新する。例えば、受信状態判定部４３、４５によって各放送信号の受信状態が判定されたときに、新たに検出された受信状態が良好な放送信号については放送局リストに対して放送局の追加が行われ、受信状態が悪化して正常受信が困難になった放送信号については放送局リストから放送局の削除が行われる。なお、放送局リストから放送局を削除する処理は、放送信号の受信状態が悪化したことを複数回（例えば２回）確認した後に行われる。これは、高い建物の近くを走行中の場合などにおいて一時的に電波状態が悪化したときに、放送局リストから誤ってこの放送局を削除してしまわないためである。
【００３６】
表示部６０は、ＲＤＳデータに表示対象のデータが含まれる場合にこのデータを表示したり、制御部４０の制御に必要な選局情報や放送局リストの内容等を表示する。操作部６２は、利用者による指示を受け付けるためのものであり、各種の入力キーや操作つまみなどを備える。この操作部６２は、ラジオ受信機以外の他の音声出力ソース（例えば、ＣＤプレーヤやテレビチューナなど）１００に切り替えたり、これらに対する利用者による指示を受け付けるためにも用いられる。
【００３７】
上述したアンテナ１０、フロントエンド１２が放送信号受信手段に、中間周波増幅器１４、復調部２０、増幅器２２、スピーカ２４が音声出力手段に、放送局リスト作成部４２が放送局リスト作成手段に、受信状態検出部１６、受信状態判定部４３が第１の受信状態検出手段に、進入判定部４４が進入判定手段に、受信状態検出部１６、受信状態判定部４５が第２の受信状態検出手段に、ミュート処理部４８が無音処理手段に、放送局リスト更新部４９が放送局リスト更新手段に、操作部６２が操作手段にそれぞれ対応する。
【００３８】
本実施形態のラジオ受信機はこのような構成を有しており、次にその動作を説明する。図３は、車両が第１国から第２国に進入した後に放送局リストの内容を更新する動作手順を示す流れ図である。車両走行時にいずれかの放送信号を受信中（ステップ１００）に、受信状態判定部４３は、受信帯域内の全周波数の放送信号の受信状態を検出するタイミングか否かを判定する（ステップ１０２）。検出タイミングでない場合には否定判断が行われ、ステップ１００に戻って放送信号の受信動作が継続される。
【００３９】
本実施形態では、操作部６２によって受け付けられた利用者による指示に応じた所定の動作を実行する際に、全周波数の放送信号の受信状態を検出する動作が行われるものとする。この所定の動作としては、ミュート処理を伴うシーク動作やスキャン動作や、他の音声出力ソース１００に切り替える動作が含まれる。シーク動作やスキャン動作においては、その前後あるいは途中において全周波数の受信状態を検出する動作を行っても、ミュート処理中であるため、音声の出力を中断することはなく、利用者に違和感や不快感を与えることはない。また、他の音声出力ソース１００に切り替えた場合には、全周波数の受信状態を検出する動作はバックグラウンド処理が可能であるため、やはり音声の出力を中断することはなく、利用者に違和感や不快感を与えることはない。検出タイミングが到来した場合にはステップ１０２の判定において肯定判断が行われる。
【００４０】
次に、受信状態判定部４３は、フロントエンド１２に指示を送って受信周波数を一方向に掃引し、受信状態検出部１６の検出結果に基づいて、受信周波数帯域に含まれる各周波数の放送信号の受信状態を判定する（ステップ１０４）。また、放送局リスト更新部４９は、この判定結果に基づいて放送局リストの内容を更新する（ステップ１０６）。上述したように、放送局リストへの放送局の追加は１回の受信状態判定結果に基づいて行われ、放送局の削除は２回の受信状態判定結果に基づいて行われるため、ステップ１０４における１回目の受信状態判定に基づく放送局リストの内容更新では、新たに放送信号の受信状態が良好であると判定された放送局が追加される。なお、受信状態が悪い旨の判定が既に１回なされていて、ステップ１０４における受信状態判定において受信状態が悪い旨の２回目の判定がなされた場合には、ステップ１０６の放送局リストの更新においてこの放送局が削除される。
【００４１】
次に、進入判定部４４は、放送局リストに登録された放送局の中に、第２国のＰＩコードの放送局が所定のしきい値Ｎ１個以上含まれるか（Ｎ１個に達したか）否かを判定する（ステップ１０８）。なお、前提として車両が走行中の第１国を認識している必要があるが、この第１国は更新前の放送局リストに含まれるＰＩコードの中で最も個数が多いＰＩコードに基づいて判定することができる。Ｎ１個に達しない場合にはステップ１０８の判定において否定判断が行われ、ステップ１００に戻って放送信号の受信動作が継続される。
【００４２】
また、第２国のＰＩコードの放送局の数がＮ１個に達した場合にはステップ１０８の判定において肯定判断が行われる。なお、第２国に複数の国が含まれている場合には、これら複数の国のいずれかの放送局数がＮ１に達したときに肯定判断が行われる。次に、受信状態判定部４５は、フロントエンド１２に指示を送って、放送局リストに含まれる第１国の放送局の周波数に受信周波数を順番に設定し、受信状態検出部１６の検出結果に基づいて、これらの各周波数の放送信号の受信状態を判定する（ステップ１１０）。また、放送局リスト更新部４９は、この判定結果に基づいて放送局リストの内容を更新する（ステップ１１２）。今回の放送局リストの更新では、第１国の放送局の中で、ステップ１０６での１回目の受信状態判定とステップ１１０での２回目の受信状態判定においてともに受信状態が悪い旨の判定が行われた第１国の放送局が削除される。その後、ステップ１００に戻って放送信号の受信動作が継続される。
【００４３】
図４は、放送局リスト更新動作の具体例を示す図である。例えば、イタリアのＡ地点を走行した際に作成された放送局リストが放送局リスト格納部５０に格納されているものとする。イタリア（第１国）からスイス（第２国）国内に車両が進入するものとする。また、「５１１１」等の数字は１６進数で４桁のＰＩコードを示している。
【００４４】
スイス国内に進入した後にＢ地点で受信周波数帯域に含まれる各周波数の放送信号の受信状態判定が行われる（図３のステップ１０４）。その結果、受信状態が良好なスイス（第２国）の放送局が５つ（ＰＩコード４１１１、４３３３、４４４４、４６６６、４７７７）検出され、放送局リストに追加される（図３のステップ１０６）。また、放送局リストに含まれるイタリア（第１国）の各放送局（ＰＩコード５１１１、５３３３、５４４４、５６６６、５７７７、５８８８、５０００）については、受信状態が悪い旨の判定（受信環境悪）が行われる。
【００４５】
所定のしきい値Ｎ１を５とすると、第２国の放送局数がＮ１に達したため、続けて第１国の放送局を対象とした２回目の受信状態判定が実施される（図３のステップ１１０）。そして、イタリアの各放送局について、受信状態が悪い旨の２回目の判定（受信環境悪）が行われると、これらの各放送局が放送局リストから削除される（図３のステップ１１２）。なお、この２回目の受信状態判定は、１回目の受信状態判定が終了してから必ずしも直ちに実施する必要はなく、間隔を開けて（例えば１分）実施するようにしてもよい。
【００４６】
このように、本実施形態のラジオ受信機では、第１国から第２国に進入したときに、進入前の第１国の放送局の放送信号について速やかに受信状態を２回確認することができるため、放送局リストから受信状態が悪い進入前の国の放送局を速やかに削除することができる。特に、受信周波数帯域に含まれる各周波数の放送信号の受信状態を検出する動作の繰り返し周期（図３のステップ１０４の動作を実施する間隔）を短くする必要がないため、頻繁な、あるいは長時間の音声出力の中断が不要であり、簡易な構成、具体的には、同時に１つの放送信号を受信可能な１チューナ構成とすることが可能となる。特に、受信状態が良好な第２国の放送局数が所定のしきい値Ｎ１に達したときに第２国に進入した旨の判定を行うことにより、第２国に進入したことを容易かつ確実に判定することが可能となる。
【００４７】
また、受信状態検出部１６による受信状態の検出結果に基づいて、受信状態判定部４３、４５によって受信状態が悪いことが複数回確認された放送信号の放送局を放送局リストから削除することにより、第２国に進入したことにより受信状態が悪化した第１国の放送局を、正確かつ速やかに放送局リストから削除することができる。また、受信状態判定部４５による受信状態判定は、放送局リストに含まれる第１国の放送局のみを対象に行われるため、２回目の受信状態検出を短い時間で行うことができ、１チューナ構成で音声出力を中断する場合であってもその中断時間を最小限に抑えることができる。
【００４８】
また、第２国に複数の国が含まれている場合に、これら複数の国のいずれかについて放送局数が所定のしきい値Ｎ１に達したときに第２国に進入した旨の判定を行っているため、複数の国が複雑に入り組んでいるような場所においても、第１国から遠ざかって他の国に進入したことを確実に判定することができる。
【００４９】
なお、本発明は上記実施形態に限定されるものではなく、本発明の要旨の範囲内において種々の変形実施が可能である。例えば、上述した実施形態では、放送局リストに含まれる第２国の放送局の数が所定のしきい値Ｎ１に達したときに１回だけ放送局リスト内の第１国の放送局を対象に受信状態検出、判定を行うようにしたが、このしきい値を複数個設定して、それぞれのしきい値に達したときに放送局リスト内の第１国の放送局を対象に受信状態検出、判定を行うようにしてもよい。
【００５０】
図５は、放送局リスト内の第２国の放送局の数が２つのしきい値Ｎ１、Ｎ２のそれぞれに達したときに受信状態検出、判定を行うようにした変形例の動作手順を示す流れ図である。図５に示す動作手順は、図３に示した動作手順に対してステップ１０８をステップ１０８Ａに置き換えた点が異なっている。このステップ１０８Ａでは、進入判定部４４は、放送局リストに登録された第２国のＰＩコードの放送局数が所定のしきい値Ｎ１またはＮ２（＞Ｎ１）に達したか否かを判定する。これにより、ステップ１１２における１回目の放送局リストの更新によって第１国の放送局が残ってしまった場合であっても、ステップ１１２における２回目の放送局リストの更新によって第１国の放送局を削除することができ、放送局リストに受信状態が悪い進入前の第１国の放送局が残ってしまうことを確実に防止することができる。
【００５１】
図６は、放送局リスト更新動作の変形例を示す図である。例えば、イタリアのＡ地点を走行した際に作成された放送局リストが放送局リスト格納部５０に格納されているものとする。図４に示した具体例と同様に、イタリア（第１国）からスイス（第２国）国内に車両が進入した場合に、Ｂ地点における２回（１回目、２回目）の受信状態検出、判定の結果、第１国の放送局（ＰＩコード５４４４、５６６６、５０００）が放送局リストに残ってしまった場合が示されている。このような場合に、Ｎ１よりも大きいしきい値Ｎ２（例えば１０）に第２国の放送局数が達したとき（ステップ１０８Ａにおいて肯定判断）、放送局リストに含まれる第１国の放送局を対象に受信状態検出、判定が実施され（ステップ１１０）、放送局リストの内容が更新される(ステップ１１２）。なお、図５および図６を用いた説明では、２つのしきい値Ｎ１、Ｎ２を用いたが、３つ以上のしきい値を用いるようにしてもよい。
【００５２】
また、上述した実施形態では、図３あるいは図５のステップ１１０において放送局リストに含まれる第１国の放送局のみを対象に受信状態の検出、判定を行ったが、受信周波数帯域内の各周波数の放送信号について受信状態の検出、判定を行うようにしてもよい。図７はこの場合の変形例の動作手順を示す流れ図である。図７に示した動作手順では、図３に示した動作手順に対して、ステップ１１０をステップ１１０Ａに、ステップ１１２をステップ１１２Ａにそれぞれ置き換えている。ステップ１１０Ａにおいて受信周波数帯域内の各周波数の放送信号について受信状態の検出、判定が行われ、ステップ１１２Ａにおいてその結果に基づいて放送局リストの内容が更新される。第１国の放送局のみ対象にする場合に比べて時間はかかるが、放送局リストにおける放送局の削除や追加を正確に行うことが可能となる。
【００５３】
また、上述した実施形態では、ＲＤＳ放送を受信するラジオ受信機について説明したが、その他のラジオ受信機、例えばＤＡＢ（Digital Audio Broadcasting）受信機やその他のＡＭ受信機、ＦＭ受信機についても同種の放送局リストを作成、更新する場合に本発明を適用することができる。
【産業上の利用可能性】
【００５４】
上述したように、本発明によれば、第１国から第２国に進入したときに、進入前の第１国の放送局の放送信号について速やかに受信状態を２回確認することができるため、放送局リストから受信状態が悪い進入前の国の放送局を速やかに削除することができる。
【符号の説明】
【００５５】
１０  アンテナ
１２  フロントエンド（Ｆ／Ｅ）
１４  中間周波増幅器（ＩＦＡ）
１６  受信状態検出部
３０  ＲＳデコーダ
４０  制御部
４１  選局処理部
４２  放送局リスト作成部
４３、４５  受信状態判定部
４４  進入判定部
４６  シーク処理部
４７  スキャン処理部
４８  ミュート処理部
４９  放送局リスト更新部
５０  放送局リスト格納部
６０  表示部
６２  操作部
【図１】
0005787427.tif 000002
【図２】
0005787427.tif 000003
【図３】
0005787427.tif 000004
【図４】
0005787427.tif 000005
【図５】
0005787427.tif 000006
【図６】
0005787427.tif 000007
【図７】
0005787427.tif 000008